(57)【要約】　　　
【課題】抜き差し自在とした内外二重管構造で、外側管に内包される内側管の管端近傍に、板状カム体を軸方向に連設すると共に、外周面が外側管の内周面と対応し且つ内周面がカム体外周突端と当接する偏心面とした二分割の係止体を、前記カム体に外装して、内外管の相対的回動操作で内外管の固定状態並びに伸縮可能状態とする伸縮柄において、回動操作における固定状態の確認構造や、係止体の押圧が面押圧となる構造を備えるように改良する。
【解決手段】　係止体５２ａ，５２ｂの偏心内周面５２３における内外管固定状態とする際のカム体当接位置に、カム体外周面が嵌合する凹部５２４を形成することで、固定状態への移行に際して嵌合音が発し、更にクリック感を得ることができる。また係止体の内周面の偏心形状を、分割境界箇所を最小径部分とすると、カム体の押圧方向と、係止体の境界箇所を押し広げるように作用してカム体の外周面全体で外側管を押圧する。
【選択図】　図３
0003099771.tif 000002
【実用新案登録請求の範囲】
【請求項１】
　抜き差し自在とした内外二重管構造であって、外側管に内包される内側管の管端近傍に、板状カム体を軸方向に連設すると共に、外周面が外側管の内周面と対応し且つ内周面がカム体外周突端と当接する偏心面とした二分割の係止体を、前記カム体に外装して、内外管の相対的回動操作で内外管の固定状態並びに伸縮可能状態とする伸縮柄において、係止体の偏心内周面における内外管固定状態とする際のカム体当接位置に、カム体外周面が嵌合する凹部を形成すると共に、前記カム体及び係止体に、嵌合音を発する材質を採用してなることを特徴とする刈込鋏などの伸縮柄。
【請求項２】
　係止体の内周面の偏心形状を、分割境界箇所が最小径部分としてなる請求項１記載の刈込鋏などの伸縮柄。
【考案の詳細な説明】
【技術分野】
【０００１】
　本考案は刈込鋏などに適用される伸縮柄に関するものである。
【背景技術】
【０００２】
　刈込鋏は、使用時に伸長し収納時に短縮する伸縮柄が採用されており、この伸縮柄は、内外二重管構造として、伸長時並びに短縮時に内外二重管が固定されるようにしている。
【０００３】
　固定構造としては従前より種々提案されているが、外側管を１回転以下の操作で連結固定並びに解除の操作を行える構造として、内側管に設けたカム体で筒状係止部材を外周方向に押し出して、外部管の内周面を押圧固定する構成が知られている。
【０００４】
　特に筒状係止部材として、筒状体に一つの切り込みを設けて筒状係止部材の拡幅縮径をなす構成（特許文献１）、及び筒状体を縦に二分割して、分割体を拡幅縮径させてなる構成（特許文献２）が提案されている。
【０００５】
【特許文献１】実開昭５６―７１５１１号公報。
【特許文献２】実開平６―６８４１８号公報。
【考案の開示】
【考案が解決しようとする課題】
【０００６】
　カム体に筒状の係止部材を被覆装着させるため、器具の組立工程を考慮すると二分割係止構造を採用したほうが製造上優れている。そこで従前の二分割係止体の構造について着目してみると、係止体とカム体の相対的回動により、偏心した係止体内周面とカム体との当接位置が変化することによって、係止体を外周方向に押し出し、固定状態を実現しているものである。
【０００７】
　係止体が固定状態に移行したことは、外側管と内側管との相対的な回転動作が阻止されれば確認できるが、係止体の偏心内周面に当接しながらカム体が相対的動作をするので、回動操作は徐々に抵抗力が強くなるもので、弱い力で回動操作した場合には完全に固定されずに回動作操作が中止されるし、強い力で回動操作すると回動阻止状態（固定状態）に至っても回転方向への力を緩めずに更に強く回動操作する場合もあり、固定状態の確認が出来ない不便さがある。
【０００８】
　また単に二分割係止体を採用した前記公知の固定構造においては、カム体の作用範囲（係止体との当接範囲）が、分割境界を含まないものである。このため固定状態において、カム体との当接位置の外周部分を中心として、係止体が外側管を押圧して固定されるものである。即ち理論的には、係止体の長さ方向における線押圧ということができる。
【０００９】
　そこで本考案は、回動操作において固定状態を確認できる構造や、係止体の押圧が面押圧となる構造を備えた改良を提案したものである。
【課題を解決するための手段】
【００１０】
　本考案に係る刈込鋏などの伸縮柄は、抜き差し自在とした内外二重管構造で、外側管に内包される内側管の管端近傍に、板状カム体を軸方向に連設すると共に、外周面が外側管の内周面と対応し且つ内周面がカム体外周突端と当接する偏心面とした二分割の係止体を、前記カム体に外装して、内外管の相対的回動操作で内外管の固定状態並びに伸縮可能状態とする伸縮柄において、係止体の偏心内周面における内外管固定状態とする際のカム体当接位置に、カム体外周面が嵌合する凹部を形成すると共に、前記カム体及び係止体に、嵌合音を発する材質を採用してなることを特徴とするものである。
【００１１】
　従って伸縮可能状態（フリー状態）から固定状態に移行させるために、内外管を相対的回動操作（捻り操作）すると、カム体と係止体の相対位置が変化してカム体の外周面部分が凹部に嵌合し、嵌合音が発して固定状態に移行したことを知ることができる。また操作感覚においては、固定状態への移行並びに固定状態の解除に際しては、クリック感を得ることができる。
【００１２】
　また本考案（請求項２）は、更に係止体の内周面の偏心形状を、分割境界箇所が最小径部分としてなるものである。
【００１３】
　従って固定状態で、カム体が分割係止体の境界箇所に位置することになり、係止体はカム体によって境界箇所で外周方向に押圧され、更に境界箇所を押し広げるように作用してカム体の押圧方向でない箇所でも係止体が外側管を押圧することになるので、係止体は面押圧となる。
【考案の効果】
【００１４】
　以上の通り二分割係止体の偏心内周面の最小径部分（固定状態時のカム体当接位置）にカム体との嵌合凹部を設けたものであるから、回動操作に際して当該凹部への嵌合並びに離脱時に手のひらにクリック感を感ずると共に、嵌合時（固定状態実現時）に「カチッ」というような嵌合音が生ずるので、固定状態に移行したことが確認でき、従前機構における操作性について改善したものである。
【考案を実施するための最良の形態】
【００１５】
　次に本考案の実施形態について説明する。実施形態は刈込鋏について示した。刈込鋏の伸縮柄は、抜き差し自在とした内側管１と外側管２からなる二重管構造で、内側管１の先端には刃部３を連結し、外側管２には握り柄部４を設けてなり、内外管１，２には、伸縮可能な状態と固定状態とを選択操作できる固定機構５が内装されている。
【００１６】
　固定機構５は、カム体５１と２個の係止体５２ａ，５２ｂで構成される。カム体５１は、外周面（径大部分）を円滑面とした扁平板状で、内側管１の管端に軸方向に連設してなると共に、端部側に内側管１と対応する鍔部５３を設けてなる。
【００１７】
　係止体５２ａ，５２ｂは、筒状体を縦二分割とした形状で、やや固めの樹脂製本体５２１の外周面に滑り止めゴム層５２２を設けたもので、内周面５２３は、所定の最大径部分から最小径部分に至る偏心形状であり、最大径長はカム体５１の外周面と当接した状態でカム体５１による押圧力が作用しない長さで、最小径長は、カム体５１の外周面と当接した状態でカム体５１による押圧力が強く作用する長さである。
【００１８】
　また内周面の最大径部分は、二分割境界箇所の中間点で、内周面最小径部分は、二分割した境界部分である。更に最小径部分となる境界部分には、カム体５１の外周面が嵌合する凹部５２４を形成してなる。
【００１９】
　尚内外管１，２の抜け止め構造や、係止体５２ａ，５２ｂと外側管２との共回り構造については従前と同様であり、その説明は省略する。
【００２０】
　而して外側管１を回動操作して、カム体５１の外周面が係止体５２ａ，５２ｂの最大径箇所に位置している場合（図３イ）には、係止体５２ａ，５２ｂの外周面が外側管２の内周面を強圧していない状態であるから、内側管１は外側管２に対して抜き差し自在となり、柄の全長を所望の長さに調整できる。
【００２１】
　そして柄を所定の長さとした状態で外側管２を回動操作すると、カム体５１と係止体５２ａ，５２ｂとは相対的な位置が変更され、カム体５１の外周面が嵌合凹部５２４に至ると、嵌合音を発して嵌合凹部５２４に嵌合すると共に、嵌合時のクリック感を感ずることになる。
【００２２】
　この嵌合状態では係止体５２ａ，５２ｂの内周面最小径部分にカム体５１が当接することになるので、係止体５２ａ，５２ｂはカム体５１で外側管２の内周面に強く押し付けられる（図３ロのＡ方向の圧力）。同時に境界部分にカム体５１が入り込むように作用して、この作用が係止体５２ａ，５２ｂを互いに離反させる方向に作用する（図３ロのＢ方向の圧力）。このため係止体５２ａ，５２ｂの外周面全体で外側管２の内周面を押圧することになり、内外管１，２は固定（ロック）状態となる。
【００２３】
　このように外側管２の回動で固定解除の操作がなされ、解除状態で柄長を調整し、固定状態で調整した柄長を固定して使用に供したり、収納したりするものである。
【００２４】
　また前記の実施形態（第一実施形態）は、回転方向に制限がなされない構造としたが、図４に例示するとおり、係止体５２ａ，５２ｂの内周面に、カム体５１の回動方向を制止する内方突出部５２５を設けると、操作回動方向が特定される（第二実施形態）。勿論境界部分に最小径部分を設けることで、Ａ方向及びＢ方向の圧力が作用する。
【００２５】
　更に本考案は、固定操作時にクリック感を得るだけの構造でも良い。この場合には従前と同様に境界部分ではなく中間部分に最小径部分を設ければ良い（図４参照：第３実施形態）。しかしこの場合にはクリック感は生ずるが、係止体の外側管２への圧力はカム体５１による作用方向Ａのみである。
【図面の簡単な説明】
【００２６】
【図１】本考案の実施形態の全体図。
【図２】同固定機構の分解斜視図。
【図３】同カム体と係止体との関係説明図（第一実施形態）。
【図４】同カム体と係止体との関係説明図（第二実施形態）。
【図５】同カム体と係止体との関係説明図（第三実施形態）。
【符号の説明】
【００２７】
１　　　　内側管
２　　　　外側管
３　　　　刃部
４　　　　握り柄部
５　　　　固定機構
５１　　　カム体
５２ａ，５２ｂ　係止体
５２１　　樹脂製本体
５２２　　ゴム層
５２３　　内周面
５２４　　凹部
５２５　　内方突部
５３　　　鍔部
【図１】
0003099771.tif 000003
【図２】
0003099771.tif 000004
【図３】
0003099771.tif 000005
【図４】
0003099771.tif 000006
【図５】
0003099771.tif 000007